(57)【要約】【課題】液体中への気体の加圧溶解を効率良く行いつつ、小型化を図ることができる溶解タンクを提供する。【解決手段】溶解タンク１３は、下側ハウジング２５及び上側ハウジング２６からなるタンク本体２７を備え、該タンク本体２７内の各貯留槽４２，４３内には、空気が加圧溶解された浴湯Ｗと空気とが所定量貯留されている。また、タンク本体２７内には、空気交じり浴湯Ｗを上側ハウジング２６における右半部の上壁部２６ｂの上壁内面３２に向けて噴射する噴射ノズル３５が設けられている。そして、噴射ノズル３５から噴射された浴湯Ｗ中には、上壁内面３２に衝突して該上壁内面３２に沿って循環した後、第１貯留槽４２に貯留されている浴湯Ｗの液面に到達するまでの間に空気が加圧溶解される。そして、第１貯留槽４２内に貯留された浴湯Ｗは、第２貯留槽４３内に流動し、その後、浴湯排出部３１を介してタンク本体２７外に排出される。【選択図】図２
2007203217.tif 000002
【特許請求の範囲】
【請求項１】
貯留槽が内部に形成されたタンク本体を備え、該タンク本体外から気体混じりの液体を前記貯留槽内に流入させると共に、該貯留槽内において前記液体中に気体を加圧溶解させ、該気体が加圧溶解された液体を前記貯留槽内から前記タンク本体外へ流出させるようにした溶解タンクにおいて、
前記タンク本体には、前記貯留槽内に流入される気体混じりの液体を前記貯留槽の上壁内面に向けて噴射する噴射ノズルが設けられた溶解タンク。
【請求項２】
前記貯留槽の上壁内面は、凹状をなす曲面である請求項１に記載の溶解タンク。
【請求項３】
前記貯留槽内において、気体の滞留空間域となる上方側の位置には、前記噴射ノズルから噴射された液体が前記貯留槽の側壁内面に沿って流下することを規制する流下規制手段が設けられている請求項１又は請求項２に記載の溶解タンク。
【請求項４】
前記流下規制手段は、平面視環状をなすように形成されており、その外側縁部が前記貯留槽の側壁内面に当接するように配置されている請求項３に記載の溶解タンク。
【請求項５】
前記流下規制手段において前記貯留槽の上壁内面に対向する上面には、その内側縁部から外側縁部に向けて延びる凹溝が形成されている請求項４に記載の溶解タンク。
【請求項６】
前記流下規制手段の下面側には、前記貯留槽内に滞留する気体の一部を該貯留槽内における前記噴射ノズルを挟んだ一方側から他方側に向けて流動させるための気体流路として機能する環状の切込み部が前記貯留槽の側壁内面に沿うように形成されている請求項４又は請求項５に記載の溶解タンク。
【請求項７】
前記タンク本体には、前記貯留槽内に滞留する気体の一部を該貯留槽内における前記噴射ノズルを挟んだ一方側から他方側に向けて流動させるための気体流路が設けられている請求項１〜請求項５のうち何れか一項に記載の溶解タンク。
【発明の詳細な説明】
【技術分野】
【０００１】
本発明は、例えば浴場に配置される微細気泡発生装置に使用され、内部に吸入された液体中に気体を加圧溶解させる溶解タンクに関する。
【背景技術】
【０００２】
従来、この種の溶解タンクとして、例えば特許文献１に記載の溶解タンク（気液溶解タンク）が提案されている。この特許文献１に記載の溶解タンク内には、加圧溶解用貯留槽（第１貯留槽）と排出側貯留槽（第２貯留層）とが左右方向に並設されるように形成されている。各貯留槽内には、ポンプの駆動に基づき内部に吸入された気体（空気）と液体（浴湯）とがそれぞれ貯留され、溶解タンク内の上側に形成された気体還流部と、溶解タンク内の下側に形成された液体通過部とを介して各貯留槽が互いに連通している。
【０００３】
加圧溶解用貯留槽の上側には、液体及び気体を混合状態にして下方に向けて噴射するための噴射ノズルが配設されている。また、排出側貯留槽には、その上側に溶解タンク内の余分な気体（液体内に加圧溶解されなかった気体）を外部に放出するための気体排出部が設けられると共に、その下側に気体が加圧溶解された液体を外部に排出するための液体排出部が設けられている。
【０００４】
そして、特許文献１に記載の溶解タンクでは、微細気泡発生装置のポンプの駆動に基づき、混合状態にある液体及び気体（すなわち、気体混じりの液体）が噴射ノズルを介して加圧溶解用貯留槽内に貯留されている液体の液面に向けて噴射される。この際に、噴射ノズルから噴射された気体混じりの液体が加圧溶解用貯留槽内の上方空間域に滞留している気体と接触したり、加圧溶解用貯留槽内の下方域に貯留されている液体の液面に衝突したりすることにより、加圧溶解用貯留槽内において液体中に気体が効果的に加圧溶解されるようになっている。
【特許文献１】特開２００５−９５８７８号公報（図２）
【発明の開示】
【発明が解決しようとする課題】
【０００５】
ところで、特許文献１に記載の溶解タンクでは、噴射ノズルから液体に混合された状態で噴射された気体を液体内に加圧溶解させるためには、該液体における気体との接触面積を広くしたり、液体と気体との接触時間を長くしたりする必要がある。具体的には、特許文献１に記載の溶解タンクでは、噴射ノズルからの液体が加圧溶解用貯留槽内に貯留される液体の液面と衝突した際に該貯留される液体内に発生した気泡がより長く存在できるように、加圧溶解用貯留槽の底面と該加圧溶解用貯留槽に貯留される液体の液面との上下差を大きくする必要があった。このように構成した場合、加圧溶解用貯留槽に貯留される液体と気泡との接触時間を長くすることが可能となる結果、液体中に気体を効率良く加圧溶解させることができた。しかしながら、特許文献１に記載の溶解タンクでは、その内部で液体中に気体を効率良く加圧溶解させるためには、溶解タンクを上下方向に大型化させなければならないという問題があった。
【０００６】
本発明は、このような事情に鑑みてなされたものであり、その目的は、液体中への気体の加圧溶解を効率良く行いつつ、小型化を図ることができる溶解タンクを提供することにある。
【課題を解決するための手段】
【０００７】
上記目的を達成するために、溶解タンクにかかる請求項１に記載の発明は、貯留槽が内部に形成されたタンク本体を備え、該タンク本体外から気体混じりの液体を前記貯留槽内に流入させると共に、該貯留槽内において前記液体中に気体を加圧溶解させ、該気体が加圧溶解された液体を前記貯留槽内から前記タンク本体外へ流出させるようにした溶解タンクにおいて、前記タンク本体には、前記貯留槽内に流入される気体混じりの液体を前記貯留槽の上壁内面に向けて噴射する噴射ノズルが設けられたことを要旨とする。
【０００８】
請求項２に記載の発明は、請求項１に記載の溶解タンクにおいて、前記タンク本体の上壁内面は、凹状をなす曲面であることを要旨とする。
請求項３に記載の発明は、請求項１又は請求項２に記載の溶解タンクにおいて、前記貯留槽内において、気体の滞留空間域となる上方側の位置には、前記噴射ノズルから噴射された液体が前記貯留槽の側壁内面に沿って流下することを規制する流下規制手段が設けられていることを要旨とする。
【０００９】
請求項４に記載の発明は、請求項３に記載の溶解タンクにおいて、前記流下規制手段は、平面視環状をなすように形成されており、その外側縁部が前記貯留槽の側壁内面に当接するように配置されていることを要旨とする。
【００１０】
請求項５に記載の発明は、請求項４に記載の溶解タンクにおいて、前記流下規制手段において前記タンク本体の上壁内面に対向する上面には、その内側縁部から外側縁部に向けて延びる凹溝が形成されていることを要旨とする。
【００１１】
請求項６に記載の発明は、請求項４又は請求項５に記載の溶解タンクにおいて、前記流下規制手段の下面側には、前記貯留槽内に滞留する気体の一部を該貯留槽内における前記噴射ノズルを挟んだ一方側から他方側に向けて流動させるための気体流路として機能する環状の切込み部が前記貯留槽の側壁内面に沿うように形成されていることを要旨とする。
【００１２】
請求項７に記載の発明は、請求項１〜請求項５のうち何れか一項に記載の溶解タンクにおいて、前記タンク本体には、前記貯留槽内に滞留する気体の一部を該貯留槽内における前記噴射ノズルを挟んだ一方側から他方側に向けて流動させるための気体流路が設けられていることを要旨とする。
【発明の効果】
【００１３】
本発明によれば、液体中への気体の加圧溶解を効率良く行いつつ、小型化を図ることができる。
【発明を実施するための最良の形態】
【００１４】
以下、本発明を具体化した一実施形態を図１〜図５に従って説明する。なお、以下における本明細書中の説明において、「上下方向」、「左右方向」は図２における上下方向、左右方向（同図に矢印で示す）をそれぞれ示すものとする。
【００１５】
図１に示すように、本実施形態の微細気泡発生装置１０は、浴槽本体１１内から浴湯（液体）Ｗを吸引すると共に大気中から空気（気体）を前記浴湯Ｗに混合させた状態で吸引するためのポンプ１２と、該ポンプ１２から空気混じりの状態で供給された浴湯Ｗ中に空気を加圧溶解させるための溶解タンク１３とを備えている。ポンプ１２は、浴槽本体１１の吸水口１４及び該吸水口１４に接続された吸水管路１５を介して浴槽本体１１内と連通している。また、吸水管路１５における吸水口１４とポンプ１２との間の所定部位には空気吸引部１６が設けられると共に、該空気吸引部１６からは吸気管路１６ａが上方に向けて延設されている。そして、ポンプ１２の駆動に基づき吸水管路１５内を浴湯Ｗが浴槽本体１１側からポンプ１２側に向けて流動する場合に該吸水管路１５内に負圧が発生することにより、吸気管路１６ａ及び空気吸引部１６を介して大気中から空気が吸水管路１５内に吸引されるようになっている。
【００１６】
また、ポンプ１２と溶解タンク１３とは、連結管路１７を介して連結されている。そのため、溶解タンク１３内には、ポンプ１２側から連結管路１７を介して浴湯Ｗ及び空気が混合した状態で流入するようになっている。さらに、溶解タンク１３と浴槽本体１１内とは、吐水管路１８、発泡ノズル１９及び吐水口２０を介して連通している。そのため、溶解タンク１３内で空気を加圧溶解させた浴湯Ｗのみが発泡ノズル１９を通過した際に、浴湯Ｗ中に加圧溶解されていた空気が浴湯Ｗ中にて微細気泡になる結果、浴槽本体１１内には、浴湯Ｗと共に微細気泡が吐水口２０から微細な泡状になって放出されるようになっている。
【００１７】
次に、本実施形態の溶解タンク１３について図２〜図５に基づき以下説明する。
図２に示すように、溶解タンク１３は、上部に開口２５ａを有する下側ハウジング２５と下部に開口２６ａを有する上側ハウジング２６とから構成されるタンク本体２７を備えている。両ハウジング２５，２６の各開口２５ａ，２６ａは左右方向に横長で互いに接合可能な形状をしている。そして、上側ハウジング２６がその開口２６ａを下側ハウジング２５の開口２５ａと相対するようにして下側ハウジング２５に上方から接合固定されることにより、溶解タンク１３のタンク本体２７が形成されている。
【００１８】
図２及び図４に示すように、下側ハウジング２５の右側には連結管路１７を接続するための吸入部２８が形成されると共に、下側ハウジング２５における内底面の中央部やや右寄りの位置にはボス状をなす差込部２９が形成されている。そして、下側ハウジング２５の外底面に沿って、前記吸入部２８と差込部２９との間を連通する吸入通路３０がエルボ状をなすように形成されている。なお、本実施形態では、ポンプ１２が駆動された場合、吸入部２８からは「１３〜１５リットル／分」の浴湯Ｗがタンク本体２７内に流入するようになっている。また、下側ハウジング２５の左側には、吐水管路１８を接続するための浴湯排出部３１が形成されている。そして、この浴湯排出部３１からは、吸入部２８を介してタンク本体２７内に流入する浴湯Ｗと略同一量（すなわち、１３〜１５リットル／分）の浴湯Ｗがタンク本体２７外に排出されるようになっている。
【００１９】
図２に示すように、上側ハウジング２６は、その右側略半分の部分（以下、「右半部」という）がドーム状をなすように上方へ膨出した形状をしていると共に、その右半部における上壁部２６ｂの高さ位置が左側略半分の部分（以下、「左半部」という）における上壁部２６ｃの高さ位置よりも高くなるように形成されている。そして、上側ハウジング２６における右半部は、その上壁部２６ｂの内面、すなわち上壁内面３２が凹状半球面（凹状をなす曲面）になるように形成されると共に、その側壁２６ｄの内面、すなわち側壁内面３３が円筒内面状をなすように形成されている。また、上側ハウジング２６における左半部の上壁部２６ｃには、空気抜装置３４が設けられている。この空気抜装置３４は、その内部がタンク本体２７内と連通しており、その内部にタンク本体２７内の余剰な空気（以下、「余剰空気」ともいう）が流入する。そして、空気抜装置３４は、その内部に予め設定された所定量の余剰空気が溜まった場合に、該余剰空気を空気抜装置３４の駆動によって外部に放出するようになっている。
【００２０】
図２及び図４に示すように、吸入通路３０の下流端となる差込部２９には、混合状態にある浴湯Ｗ及び空気（すなわち、空気混じりの浴湯Ｗ）をタンク本体２７内において上方に向けて噴射するための噴射ノズル３５が装着されている。この噴射ノズル３５は、その上端側にノズル孔３６が形成された筒状体であり、その下端部３５ａが差込部２９内に嵌入されることにより、下側ハウジング２５に立設状態となって固定されている。図３及び図４に示すように、噴射ノズル３５のノズル孔３６は、平面視において長孔状をなすと共に、側面視した場合には、その孔形状が下方から上方（噴射ノズル３５の内部から外部）に向けて次第に大きくなるように形成されている。
【００２１】
また、タンク本体２７内には、流下規制手段としての円環状部材４０が設けられている。この円環状部材４０は、その外周縁部（外側縁部）４０ａが上側ハウジング２６における右半部の側壁２６ｄ（側壁内面３３）に密接（当接）すると共に、その内周縁部（内側縁部）４０ｂが噴射ノズル３５の上端（すなわち、ノズル孔３６が形成された部位）を包囲するように配置されている。また、円環状部材４０は、図２に示すように、その左側略半分の外周部位から下方に向けて延びる仕切り板状部４１が平面視円弧状をなすように形成されている。そのため、タンク本体２７内には、円環状部材４０の仕切り板状部４１がタンク本体２７内を仕切ることにより、右側の第１貯留槽４２と左側の第２貯留槽４３とが形成されている。なお、各貯留槽４２，４３は、図４に示すように、仕切り板状部４１と上側ハウジング２６の側壁２６ｄとの間に形成された隙間Ｓを介して連通している。
【００２２】
そして、第１貯留槽４２内には、その下方域に噴射ノズル３５から噴射された浴湯Ｗ及び空気のうち浴湯Ｗが貯留される一方、その上方域に噴射ノズル３５から噴射された浴湯Ｗ及び空気のうち空気が滞留する（貯留される）ようになっている。また、第２貯留槽４３内には、浴湯排出部３１からタンク本体２７外に排出される直前の浴湯Ｗと、タンク本体２７内にて余剰となる余剰空気とが一旦貯留されている。なお、本実施形態において、円環状部材４０は、第１貯留槽４２内において空気が滞留する上方空間域に配置されている。すなわち、噴射ノズル３５は、円環状部材４０の内周縁部４０ｂにより包囲される上端側に形成されたノズル孔３６が第１貯留槽４２に貯留される浴湯Ｗの液面よりも上方に位置するように形成されている。
【００２３】
また、円環状部材４０の上面４０ｃには、図５に示すように、内周縁部４０ｂから外周縁部４０ａに向けて放射状に延びる複数（本実施形態では４つ）の凹溝４４が周方向へ等間隔おきに形成されている。これら各凹溝４４は、それぞれの底面４４ａと円環状部材４０における凹溝４４の非形成部位の上面４０ｃとの間の高さｈが１０〜１５ｍｍとなるように形成されている。
【００２４】
さらに、円環状部材４０の下面４０ｄには、第１貯留槽４２を形成する上側ハウジング２６の側壁２６ｄに沿う円環状をなす切込み部（気体流路）４５が形成されている。そして、第１貯留槽４２内において、第２貯留槽４３側（一方側）の空間と該第２貯留槽４３とは噴射ノズル３５と挟んだ反対側（他方側）の空間との間では、切込み部４５を介して空気が流動するようになっている。
【００２５】
次に、本実施形態の溶解タンク１３の作用について以下説明する。
さて、微細気泡発生装置１０のポンプ１２の駆動が開始すると、溶解タンク１３内には、空気混じりの浴湯Ｗが連結管路１７を介して流入する。そして、溶解タンク１３内において、空気混じりの浴湯Ｗは、吸入部２８、吸入通路３０内及び噴射ノズル３５内を流動し、該噴射ノズル３５のノズル孔３６を介して第１貯留槽４２内の上方に向けて噴射される。すなわち、空気混じりの浴湯Ｗは、上側ハウジング２６における右半部の上壁内面３２に向けて噴射される。また、ノズル孔３６は、長孔状をなすと共に、その孔形状が下方から上方に向けて次第に大きくなるように形成されている。そのため、空気混じりの浴湯Ｗは、噴射ノズル３５のノズル孔３６から凹状半球面状の上壁内面３２全体に広がるように噴射される（図２参照）。すなわち、ノズル孔３６から噴射された浴湯Ｗと第１貯留槽４２内の空気との接触面積が良好に確保される。
【００２６】
すると、噴射ノズル３５のノズル孔３６から噴射された空気混じりの浴湯Ｗは、図２の矢印で示すように、上壁内面３２に衝突すると共に、該上壁内面３２に沿うように流動する。そして、浴湯Ｗは、第１貯留槽４２の下方に向けて流下して、円環状部材４０の上面４０ｃまで到達する。すなわち、上壁内面３２と円環状部材４０の上面４０ｃの間には、図２の実線矢印にて示すように、その空間内で空気混じりの浴湯Ｗが流動することにより、浴湯Ｗによる循環流が発生することになる。
【００２７】
また、第１貯留槽４２内を流下しようとする浴湯Ｗは、円環状部材４０の内周縁部４０ｂと噴射ノズル３５との間を通過しなければならない。また、ノズル孔３６から噴射された浴湯Ｗの一部は、上壁部２６ｂから連続して下方に向けて延びる側壁２６ｄ（側壁内面３３）に沿って流下しようとするが、円環状部材４０により側壁２６ｄに沿って流下することが規制される。そのため、第１貯留槽４２内の円環状部材４０よりも上方の空間では、円環状部材４０が設けられない場合とは異なり、浴湯Ｗによる循環流が発生することによって、浴湯Ｗと空気との接触時間を長くすることが可能になり、浴湯Ｗ中への空気の加圧溶解が効率良く行われるようになる。すると、第１貯留槽４２内の円環状部材４０よりも上方の空間内では、浴湯Ｗ中への加圧溶解に基づき空気の量が減少傾向になる。
【００２８】
ここで、もし仮に円環状部材４０の上面４０ｃ側に凹溝４４が形成されていなかったとすると、円環状部材４０の内周縁部４０ｂと噴射ノズル３５の外側面との間には、該噴射ノズル３５のノズル孔３６から噴射された浴湯Ｗの循環流に起因した水膜（以下、「浴湯膜」という）が形成されてしまう。そのため、第１貯留槽４２内の円環状部材４０よりも下方の空間側から上方の空間側への空気の流動が浴湯膜によって規制される。その結果、第１貯留槽４２内の円環状部材４０よりも上方の空間内では、該空間内の空気が浴湯Ｗ中に加圧溶解することに起因して空気量が徐々に減少していき、浴湯Ｗ中への空気の加圧溶解の効率が徐々に低下してしまうおそれがある。
【００２９】
ところが、本実施形態における円環状部材４０の上面４０ｃ側には、複数（４つ）の凹溝４４が形成されている。そのため、凹溝４４の非形成部位の上面４０ｃから下方に向けて流下する浴湯Ｗと、各凹溝４４の底面４４ａから下方に向けて流下する浴湯Ｗとの間には、水頭差が発生し、浴湯膜には第１貯留槽４２内の円環状部材４０よりも下方の空間の空気が上方の空間側へ流動可能な隙間が形成される。したがって、本実施形態では、第１貯留槽４２内の円環状部材４０よりも上方の空間内における空気量の減少が抑制されると共に、浴湯Ｗ中への空気の加圧溶解の効率が次第に低下してしまうことも抑制される。
【００３０】
そして、円環状部材４０の内周縁部４０ｂと噴射ノズル３５の外側面との間を流下した浴湯Ｗは、第１貯留槽４２内に貯留されている浴湯Ｗの液面に衝突する際に空気がさらに加圧溶解を促進してから第１貯留槽４２に貯留される。この第１貯留槽４２に貯留される浴湯Ｗ内には、該浴湯Ｗに加圧溶解されなかった空気が気泡として存在する（図２参照）。そして、これら気泡は、浴湯Ｗの第１貯留槽４２から第２貯留槽４３への流動に起因して、第２貯留槽４３側に移動しようとする。しかし、本実施形態では、仕切り板状部４１によって第１貯留槽４２から第２貯留槽４３側への気泡の不要な移動が抑制され、ほんの僅かな気泡のみが第２貯留槽４３側に流動する。そして、第２貯留槽４３側に流動した気泡（空気）は該第２貯留槽４３内に一旦貯留され、該空気の大部分は第１貯留槽４２側に流動し、該第１貯留槽４２にて浴湯Ｗ中に加圧溶解される。なお、残りの一部は、空気抜装置３４内に流入することになる。
【００３１】
また、第１貯留槽４２内においては、浴湯Ｗの第１貯留槽４２から第２貯留槽４３への流動に起因して、浴湯Ｗ中に加圧溶解されなかった余剰空気が第２貯留槽４３側に溜まる傾向がある。しかし、本実施形態では、円環状部材４０の下面４０ｄ側に切込み部４５が形成されているため、第１貯留槽４２内において第２貯留槽４３側に溜まった余剰空気は、切込み部４５内を流動し、第１貯留槽４２内において噴射ノズル３５を挟んだ反対側の空間に供給される。そのため、第１貯留槽４２内では、空気量のばらつきが抑制される結果、浴湯Ｗ中への空気の加圧溶解の効率低下が回避される。また、第１貯留槽４２内において第２貯留槽４３側に溜まる余剰空気の量が低下することになるため、第１貯留槽４２に連通する第２貯留槽４３側に設けられた空気抜装置３４により、タンク本体２７外に排出される余剰空気の量が低下する。
【００３２】
そして、第２貯留槽４３内に一旦貯留された浴湯Ｗ（充分に空気が加圧溶解された浴湯）は、浴湯排出部３１を介して吐水管路１８内に排出され、発泡ノズル１９及び吐水口２０を介して浴槽本体１１内に吐水される。なお、吐水管路１８内を流動した浴湯Ｗは、発泡ノズル１９を通過した際に、加圧溶解されていた空気が微細気泡となり、該微細気泡と共に浴槽本体１１内に吐水される（図１参照）。
【００３３】
したがって、本実施形態では、以下に示す効果を得ることができる。
（１）噴射ノズル３５は、タンク本体２７の第１貯留槽４２内において上側ハウジング２６における右半部の上壁部２６ｂの上壁内面３２に向けて噴射するように設けられている。そのため、噴射ノズル３５から噴射された浴湯（液体）Ｗは、第１貯留槽４２内をノズル孔３６から上壁内面３２に到達して該上壁内面３２に沿って循環し、第１貯留槽４２に貯留されている浴湯Ｗの液面に到達するまでの間、第１貯留槽４２内の空気（気体）と接触することになる。すなわち、浴湯Ｗと空気との接触時間を長くすることができるため、タンク本体２７を大型化させなくても、効率良く浴湯Ｗ中に空気を加圧溶解させることができる。したがって、浴湯Ｗ中への空気の加圧溶解を効率良く行いつつ、小型化を図ることができる。
【００３４】
（２）上側ハウジング２６における右半部の上壁部２６ｂの上壁内面３２は、凹状半球面（凹状をなす曲面）に形成されているため、噴射ノズル３５から噴射されて上壁内面３２に接触した浴湯（液体）Ｗは、上壁内面３２に沿うように循環することになる。そのため、上壁内面３２に接触した浴湯Ｗが該上壁内面３２に沿って円滑に循環することになる結果、より効果的に浴湯Ｗ中に空気を加圧溶解させることができる。
【００３５】
（３）第１貯留槽４２内には、円環状部材（流下規制手段）４０が設けられている。そのため、流下規制手段が設けられていない場合とは異なり、噴射ノズル３５から噴射された浴湯（液体）Ｗが上側ハウジング２６における右半部の上壁部２６ｂの上壁内面３２に接触してから第１貯留槽４２内に貯留される浴湯Ｗの液面までに到達する時間を長くすることができる。したがって、第１貯留槽４２内において、より効率良く浴湯Ｗ内に空気を加圧溶解させることができる。
【００３６】
（４）流下規制手段は、円環状部材４０であり、該円環状部材４０は、噴射ノズル３５から噴射された浴湯Ｗが上側ハウジング２６における右半部の上壁部２６ｂに連続する側壁２６ｄ（側壁内面３３）に沿って流下することが不能となるように配置されている。そのため、噴射ノズル３５から噴射された浴湯（液体）Ｗが上側ハウジング２６における右半部の上壁部２６ｂの上壁内面３２に接触してから第１貯留槽４２内に貯留される浴湯Ｗの液面までに到達する時間をより長くすることができる。
【００３７】
（５）円環状部材４０の上面４０ｃ側には、複数（４つ）の凹溝４４が形成されている。そのため、凹溝４４の非形成部位の上面４０ｃから下方に向けて流下する浴湯Ｗと、各凹溝４４の底面４４ａから下方に向けて流下する浴湯Ｗとの間には、水頭差が発生し、浴湯膜には第１貯留槽４２内の円環状部材４０よりも下方の空間の空気が上方の空間側へ流動可能な隙間が形成される。その結果、第１貯留槽４２内の円環状部材４０よりも上方の空間内には、浴湯Ｗ中に空気が加圧溶解したことに起因して、空気量が減少傾向にあっても、第１貯留槽４２内の円環状部材４０よりも下方の空気が前記隙間を介して流入してくる。したがって、第１貯留槽４２内の円環状部材４０よりも上方の空間内における空気量の減少が抑制されるため、浴湯Ｗ中への空気の加圧溶解効率を良好に維持することができる。
【００３８】
（６）第１貯留槽４２内においては、浴湯Ｗの第１貯留槽４２から第２貯留槽４３への流動に起因して、浴湯Ｗ中に加圧溶解されなかった余剰空気が第２貯留槽４３側に溜まる傾向がある。しかし、本実施形態では、第１貯留槽４２内において第２貯留槽４３側に溜まった余剰空気は、円環状部材４０の下面４０ｄ側の切込み部４５内を流動し、第１貯留槽４２内において噴射ノズル３５を挟んだ反対側の空間に供給される。そのため、第１貯留槽４２内では、空気量のばらつきが抑制される結果、浴湯Ｗ中への空気の加圧溶解の効率低下が回避される。したがって、第１貯留槽４２内では、位置などによらず、効果的に浴湯Ｗ中に空気を加圧溶解させることがきる。
【００３９】
（７）また、第１貯留槽４２内において第２貯留槽４３側に溜まる余剰空気の量が減少することになるため、第１貯留槽４２に連通する第２貯留槽４３側に設けられた空気抜装置３４により、タンク本体２７外に排出される余剰空気の量を減少させることができる。すなわち、タンク本体２７内の空気を効率良く浴湯Ｗ中に加圧溶解させることができるようになるため、タンク本体２７内に取り込む空気量を減少させることができる。
【００４０】
（８）噴射ノズル３５のノズル孔３６は、長孔状をなしているため、該ノズル孔３６から浴湯Ｗを上側ハウジング２６における右側の上壁部２６ｂの側壁内面３３全体に広がるように噴射することができる。したがって、ノズル孔３６から噴射された浴湯Ｗにおける空気との接触面積を広くすることができ、浴湯Ｗ中への空気の加圧溶解をより効果的なものにすることができる。
【００４１】
（９）また、噴射ノズル３５のノズル孔３６は、その孔形状が下方から上方に向けて次第に大きくなるように形成されているため、該ノズル孔３６から浴湯Ｗを上側ハウジング２６における右半部の上壁部２６ｂの上壁内面３２全体にさらに広がるように噴射することができる。
【００４２】
（１０）噴射ノズル３５のノズル孔３６は、円環状部材４０の内周縁部４０ｂに囲まれるような位置に形成されているため、このノズル孔３６から噴射された浴湯Ｗを確実に上側ハウジング２６における右半部の上壁部２６ｂの上壁内面３２に衝突させることができる。
【００４３】
なお、上記実施形態は以下のような別の実施形態（別例）に変更してもよい。
・実施形態において、噴射ノズル３５は、そのノズル孔３６の孔形状が下方から上方に向けて変化しないものであってもよい。
【００４４】
・実施形態において、噴射ノズル３５のノズル孔３６は、図６に示すように、その孔形状が略十字状をなすものであってもよい。また、噴射ノズル３５には、複数のノズル孔３６が形成されていてもよい。
【００４５】
・実施形態において、噴射ノズル３５は、そのノズル孔３６が円環状部材４０よりも上方に位置するような構成であってもよい。
・また、噴射ノズル３５は、そのノズル孔３６が第１貯留槽４２内に貯留される浴湯Ｗの液面よりも下方に形成されたものであってもよい。
【００４６】
・実施形態において、気体流路は、図７に示すように、上側ハウジング２６の側壁２６ｄ及び仕切り板状部４１に形成された空気流路５０であってもよい。
・実施形態において、タンク本体２７内を仕切り板状部４１によって２つの貯留槽４２，４３に仕切らなくてもよい。
【００４７】
・実施形態において、円環状部材４０には、任意数（例えば、１つや６つ）の凹溝４４が形成されていてもよい。ただし、凹溝４４の非形成部位の上面４０ｃから下方に向けて流下する浴湯Ｗと、各凹溝４４の底面４４ａから下方に向けて流下する浴湯Ｗとの間に水頭差を発生させるために、凹溝４４を、凹溝４４の非形成部位の上面４０ｃと凹溝４４の底面４４ａとの間の高さｈが５ｍｍ以上になるように形成することが望ましい。なお、前記高さｈの５ｍｍとは、「１３〜１５リットル／分」の浴湯Ｗが噴射ノズル３５から噴射される状態で、凹溝４４の非形成部位の上面４０ｃから下方に向けて流下する浴湯Ｗと、各凹溝４４の底面４４ａから下方に向けて流下する浴湯Ｗとの間に水頭差を発生させ得る下限値である。
【００４８】
・実施形態において、円環状部材４０に形成される複数の凹溝４４は、等間隔に形成されなくてもよい。
・実施形態において、円環状部材４０には、凹溝４４が形成されていなくてもよい。
【００４９】
・実施形態において、環状をなす流下規制手段は、複数の部材を環状配置することにより形成されたものであってもよい。
・実施形態において、流下規制手段は、上側ハウジング２６の側壁２６ｄから噴射ノズル３５に向けて突設された突起であってもよい。また、流下規制手段は、設けられなくてもよい。
【００５０】
・実施形態において、上側ハウジング２６における右半部の上壁部２６ｂの上壁内面３２は、凹状をなす曲面であれば、凹状半球面でなくてもよい。
・また、上側ハウジング２６における右半部の上壁部２６ｂの上壁内面３２は、平面であってもよい。
【００５１】
次に、上記実施形態及び別例から把握できる技術的思想について以下に追記する。
（イ）前記噴射ノズルは、その上端側に液体及び気体を噴射するためのノズル孔が長孔状をなすように形成されている請求項１〜請求項７のうち何れか一項に記載の溶解タンク。
【００５２】
（ロ）前記ノズル孔は、その孔形状が前記噴射ノズルの内部から外部に向けて次第に大きくなるように形成されている技術的思想（イ）に記載の溶解タンク。
（ハ）液体を吸引して該液体と気体とを混合させるポンプと、該ポンプが吸引した液体及び気体を内部に吸引して該液体中に気体を加圧溶解させた後に外部へ排出する請求項１〜請求項７及び技術的思想（イ）、（ロ）のうち何れか一項に記載の溶解タンクとを備えた微細気泡発生装置。
【図面の簡単な説明】
【００５３】
【図１】本実施形態における微細気泡発生装置の概略断面図。
【図２】本実施形態における溶解タンクの断面図。
【図３】図２の３−３線矢視断面図。
【図４】図２の４−４線矢視断面図。
【図５】円環状部材の上面の様子を示す断面斜視図。
【図６】別例の噴射ノズルのノズル孔の孔形状を示す断面図。
【図７】別例の溶解タンクの断面図。
【符号の説明】
【００５４】
１０…微細気泡発生装置、１２…ポンプ、１３…溶解タンク、２６ｄ…側壁、２７…タンク本体、３２…上壁内面、３３…側壁内面、３５…噴射ノズル、３６…ノズル孔、４０…円環状部材（流下規制手段）、４０ａ…外周縁部（外側縁部）、４０ｂ…内周縁部（内側縁部）、４０ｃ…上面、４０ｄ…下面、４２…第１貯留槽、４３…第２貯留槽、４４…凹溝、４５…切込み部（気体流路）、５０…空気流路（気体流路）、Ｗ…浴湯（液体）。
【図１】
2007203217.tif 000003
【図２】
2007203217.tif 000004
【図３】
2007203217.tif 000005
【図４】
2007203217.tif 000006
【図５】
2007203217.tif 000007
【図６】
2007203217.tif 000008
【図７】
2007203217.tif 000009